【手続補正書】
【提出日】平成19年7月20日(2007.7.20)
【手続補正１】
【補正対象書類名】明細書
【補正対象項目名】特許請求の範囲
【補正方法】変更
【補正の内容】
【特許請求の範囲】
【請求項１】
複数の遮光羽根を旋回駆動させることによりこれら遮光羽根により形成される光通過口の面積を変更して光量を調節する光量調節装置において、
前記複数の遮光羽根のうちいずれかに、互いに異なる濃度の複数の濃度領域を有し、前記光通過口内に位置して通過光量を減少させるＮＤフィルタが取り付けられており、
前記ＮＤフィルタにおける隣り合う濃度領域の境界部が、前記ＮＤフィルタの先端部に対して非平行となっていることを特徴とする光量調節装置。
【請求項２】
前記ＮＤフィルタは前記境界部を複数有しており、これらの境界部が互いに非平行となっていることを特徴とする請求項１に記載の光量調節装置。
【請求項３】
前記境界部は、前記ＮＤフィルタが取り付けられた遮光羽根の旋回中心に近づくほど前記先端部に近づくように傾斜していることを特徴とする請求項１又は２に記載の光量調節装置。
【請求項４】
請求項１から３のいずれか１つに記載の光量調節装置を備えたことを特徴とするレンズ装置。
【請求項５】
請求項１から３のいずれか１つに記載の光量調節装置を備えたことを特徴とする撮像装置。
【手続補正２】
【補正対象書類名】明細書
【補正対象項目名】０００２
【補正方法】変更
【補正の内容】
【０００２】
【従来の技術】
ビデオカメラやデジタルスチルカメラ等に使用される絞り装置（光量調節装置）では、２枚以上の絞り羽根を、旋回運動或いは直進運動させることにより光通過口の面積を変化させ、光量調節を行っている。
【手続補正３】
【補正対象書類名】明細書
【補正対象項目名】０００４
【補正方法】変更
【補正の内容】
【０００４】
【発明が解決しようとする課題】
しかしながら、上記のようにＮＤフィルタを用いたり電子シャッターを併用したりしているにもかかわらず、レンズおよびＣＣＤ等の撮像素子の小型化が進む中で、小絞り回折による光学性能への影響が問題となってきている。
【手続補正４】
【補正対象書類名】明細書
【補正対象項目名】０００９
【補正方法】変更
【補正の内容】
【０００９】
【課題を解決するための手段】
上記の課題を解決するために、本発明では、複数の遮光羽根を旋回駆動させることによりこれら遮光羽根により形成される光通過口の面積を変更して光量を調節する光量調節装置において、上記複数の遮光羽根のうちいずれかに、互いに異なる濃度の複数の濃度領域を有し、光通過口内に位置して通過光量を減少させるＮＤフィルタを取り付け、ＮＤフィルタにおける隣り合う濃度領域の境界部を、このＮＤフィルタの先端部に対して非平行としている。また、ＮＤフィルタにおける異なる濃度領域の境界部同士を、互いに非平行としている。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明により、いわゆる中間絞り時の光学性能の悪化やシェーディングの発生を効果的に防止することが可能となる。
【手続補正７】
【補正対象書類名】明細書
【補正対象項目名】００１２
【補正方法】削除
【補正の内容】
【手続補正８】
【補正対象書類名】明細書
【補正対象項目名】００１４
【補正方法】変更
【補正の内容】
【００１４】
図１において、１は第１群レンズＬ１を固定保持する固定鏡筒である。２は第２群レンズ（バリエータレンズ）Ｌ２を保持するバリエータ保持枠であり、スリーブ部２ａとＵ溝部２ｂとがそれぞれ光軸方向に延びるバー１６，１７に対して係合することによって、光軸方向に移動可能に保持されている。
【手続補正９】
【補正対象書類名】明細書
【補正対象項目名】００１６
【補正方法】変更
【補正の内容】
【００１６】
７は第３群レンズ（アフォーカルレンズ）Ｌ３を固定保持する中間鏡筒である。８は第４群レンズ（フォーカシングレンズ）Ｌ４を保持するフォーカシング保持枠であり、スリーブ部８ａとＵ溝部８ｂとがそれぞれバー１７，１６に係合することによって、光軸方向に移動可能に保持されている。
【手続補正１０】
【補正対象書類名】明細書
【補正対象項目名】００１８
【補正方法】変更
【補正の内容】
【００１８】
１３は赤外線カットフィルタを含むローパスフィルタ１４とＣＣＤ等の撮像素子１５とを固定保持するＣＣＤホルダーである。ＣＣＤホルダー１３に固定されたフォトセンサ１１，１２はそれぞれ、バリエータ保持枠２に形成された遮光部２ｃおよびフォーカシング保持枠８に形成された遮光部８ｃが各フォトセンサ１１，１２の発光部と受光部との間に入り込んでこれらの間を遮光することにより、それぞれの保持枠２，８がズーミングおよびフォーカシング移動のための基準位置（初期位置）に位置したことを検出するために設けられている。
【手続補正１１】
【補正対象書類名】明細書
【補正対象項目名】００１９
【補正方法】変更
【補正の内容】
【００１９】
５はバリエータ保持枠２と中間鏡筒７との間に配置されたＩＧユニットである。このＩＧユニット５は、地板５ａと、約０．１ｍｍ厚のシート材により形成された２枚の絞り羽根（遮光羽根）１８，１９と、絞り羽根１８，１９を光軸方向前方から押さえるよう地板５ａに固定されるとともに絞り羽根１８，１９の旋回動作をガイドさせる役目を果たす押さえ板２１と、地板５ａに固定保持された駆動部５ｂとを有して構成されている。絞り羽根１８，１９は、丸穴部１８ａ，１９ａが地板５ａに設けられたピン部５ｄ，５ｅに嵌合することで、地板５ａに対して光軸直交面内を旋回運動可能に保持されている。また、駆動部５ｂの出力軸にはアーム部材５ｃが取り付けられており、このアーム部材５ｃは絞り羽根１８，１９の長穴部１８ｂ，１９ｂに係合している。このため、駆動部５ｂを回転作動させることにより、絞り羽根１８，１９をピン部５ｄ，５ｅを中心に旋回駆動し、これら絞り羽根１８，１９によって形成される絞り開口（光通過口）の面積、つまりは絞り量をコントロールすることができる。
【手続補正１２】
【補正対象書類名】明細書
【補正対象項目名】００２２
【補正方法】変更
【補正の内容】
【００２２】
図２には、上記ＩＧユニット５における絞り羽根１８，１９とＮＤフィルタ６の形状および動作を示している。ＮＤフィルタ６は、図２に示すように、逆台形形状を有しており、先端部６ｄから、第１の濃度領域６ａと、この第１の濃度領域６ａと隣り合う位置において第１の濃度領域６ａよりも濃い濃度を有する第２の濃度領域６ｂと、さらに第２の濃度領域６ｂと隣り合う位置において第２の濃度領域６ｂよりも濃い濃度を有する第３の濃度領域６ｃとを有する。
【手続補正１３】
【補正対象書類名】明細書
【補正対象項目名】００２５
【補正方法】変更
【補正の内容】
【００２５】
また、図２（ｂ）に示す中間絞り２の状態は、ＮＤフィルタ６のうち第１の濃度領域６ａと第２の濃度領域６ｂとの境界部６ｅが絞り羽根１９の絞り開口形成端部に掛かりきる（第１の濃度領域６ａに対して濃い側の第２および第３の濃度領域６ｂ，６ｃによって絞り開口が完全に覆われる）直前の状態を示している。第１の濃度領域６ａと第２の濃度領域６ｂとの境界部６ｅは、この状態において、絞り開口のうち上記境界部６ｅと絞り羽根１９の絞り開口形成端部とにより囲まれる部分（第１の濃度領域６ａで覆われる部分）Ｓ′が、スリット形状若しくはスリットに近いくさび形状にならないように設定されている。
【手続補正１４】
【補正対象書類名】明細書
【補正対象項目名】００２６
【補正方法】変更
【補正の内容】
【００２６】
さらに、図２（ｃ）に示す中間絞り３の状態は、ＮＤフィルタ６のうち第２の濃度領域６ｂと第３の濃度領域６ｃとの境界部６ｆが絞り羽根１９の絞り開口形成端部に掛かりきる（第２の濃度領域６ｂに対して濃い側の第３の濃度領域６ｃによって絞り開口が完全に覆われる）直前の状態を示している。第２の濃度領域６ｂと第３の濃度領域６ｃとの境界部６ｆは、この状態において、絞り開口のうち上記境界部６ｆと絞り羽根１９の絞り開口形成端部とにより囲まれる部分（第２の濃度領域６ｂで覆われる部分）Ｓ″が、スリット形状若しくはスリットに近いくさび形状にならないように設定されている。
【手続補正１５】
【補正対象書類名】明細書
【補正対象項目名】００３１
【補正方法】変更
【補正の内容】
【００３１】
【発明の効果】
以上説明したように、本発明によれば、遮光羽根を旋回駆動させる構成において、中間絞り時の光学性能の悪化やシェーディングの発生を効果的に防止することができる。例えば、遮光羽根により形成される光通過口のうちＮＤフィルタにおける薄い側の濃度領域と濃い側の濃度領域との境界部と光通過口の端部とにより囲まれて上記薄い側の濃度領域により覆われた部分が、少なくとも上記濃い側の濃度領域によって完全に覆われる直前の状態にてスリット形状若しくはスリットに近いくさび形状にならないようにすることができるので、中間絞り時の光学性能の悪化やシェーディングの発生を効果的に防止することができる。